(57)【要約】      （修正有）【課題】イオン発生ユニットの電極から付着物が除去され易い冷蔵装置を提供する。【解決手段】冷蔵室用の扉と、糸状の複数の導電体が一端側において束ねられて構成されたイオン発生用放電電極からイオンを放出して冷蔵庫内に供給するイオン発生ユニットと、扉の開動作に応じてイオン発生ユニットをＯＮして、扉の閉動作に応じてイオン発生ユニットをＯＦＦするための制御部と、を備える。【選択図】図６
2019128126.tif 000002
【特許請求の範囲】
【請求項１】
冷蔵室用の扉と、
糸状の複数の導電体が一端側において束ねられて構成されたイオン発生用放電電極からイオンを放出して冷蔵庫内に供給するイオン発生ユニットと、
前記扉の開動作に応じて前記イオン発生ユニットをＯＮして、前記扉の閉動作に応じて前記イオン発生ユニットをＯＦＦするための制御部と、を備える冷蔵庫。
【請求項２】
前記イオン発生ユニットの振動を大きくするための構成をさらに備える、請求項１に記載の冷蔵庫。
【請求項３】
冷蔵室用の扉と、
糸状の複数の導電体が一端側において束ねられて構成されたイオン発生用放電電極からイオンを放出して冷蔵庫内に供給するイオン発生ユニットと、
前記扉が閉じられるときの前記イオン発生ユニットの振動を大きくするための構成と、を備える冷蔵庫。
【請求項４】
冷蔵室用の扉と、
糸状の複数の導電体が一端側において束ねられて構成されたイオン発生用放電電極からイオンを放出して冷蔵庫内に供給するイオン発生ユニットと、
前記イオン発生ユニットに対する振動を与える装置と、を備える冷蔵庫。
【請求項５】
前記イオン発生ユニットをＯＮした際に、前記イオン発生ユニットに向けて風を送るためのファンをさらに備える、請求項１から４のいずれか１項に記載の冷蔵庫。
【請求項６】
冷蔵室用の扉と、
糸状の複数の導電体が一端側において束ねられて構成されたイオン発生用放電電極からイオンを放出して冷蔵庫内に供給するイオン発生ユニットと、
前記イオン発生ユニットに向けた風を送るためのファンと、
前記イオン発生ユニットをＯＮした際に前記ファンをＯＮするための制御部と、を備える冷蔵庫。
【発明の詳細な説明】
【技術分野】
【０００１】
本発明は、食物や飲料などを収容する冷蔵庫の技術に関し、特にイオン発生ユニットを搭載する冷蔵庫に関する。
【背景技術】
【０００２】
従来から、イオン発生ユニットおよびそれを備えた冷蔵庫が知られている。たとえば、特開２０１０−２８１５２６号公報（特許文献１）には、冷蔵庫が開示されている。特許文献１によると、貯蔵物を収納する貯蔵室と、冷気を生成する冷却器と、冷却器で生成された冷気が流通する冷気通路と、貯蔵室の壁面に開口して冷気通路を流通する冷気を貯蔵室に吐出する吐出口と、イオンを発生するイオン発生部を冷気通路内の吐出口近傍に配したイオン発生装置とを備える。
【０００３】
また、特開２００２−５８７３１号公報（特許文献２）には、負イオンと正イオンが同時に発生することによって、活性種である過酸化水素Ｈ2Ｏ2又は水酸化ラジカル・ＯＨが生成すること、このＨ2Ｏ2または・ＯＨが極めて強力な活性を示すために浮遊細菌を除去できること、などが開示されている。
【０００４】
そして、特開２０１６−２０７６２６号公報（特許文献３）には、放電電極清掃具および放電電極の清掃方法が開示されている。特許文献３によると、放電電極清掃具は、糸状の複数の導電体が一端側において束ねられてブラシ状に構成されたイオン発生用放電電極を清掃するものであって、先端側に第１清掃部材が設けられた第１挟持片と、先端側に第２清掃部材が設けられた第２挟持片と、を備え、第１挟持片および第２挟持片は、第１清掃部材と第２清掃部材とによってイオン発生用放電電極を挟み込み可能に構成され、第１清掃部材および第２清掃部材は、イオン発生用放電電極に付着した異物を捕捉する多孔質材料によって構成されている。
【先行技術文献】
【特許文献】
【０００５】
【特許文献１】特開２０１０−２８１５２６号公報
【特許文献２】特開２００２−５８７３１号公報
【特許文献３】特開２０１６−２０７６２６号公報
【発明の概要】
【発明が解決しようとする課題】
【０００６】
イオン発生ユニットの電極に付着物が付くとイオンの発生量が減少してしまうため、特許文献３に開示の技術などで電極の付着物を清掃・除去する必要がある。しかしながら、特許文献１に例示されるように、冷蔵庫に設けられるイオン発生ユニットは貯蔵室の奥壁近傍に配置されることあり、放電電極清掃具などを用いて電極を清掃することが困難である。また、冷蔵庫は通常、電源スイッチを持たないため、電源投入状態では高電圧が印加されるおそれがある放電電極を、利用者が清掃具によって清掃することは危険である。
そこで、本発明は、放電電極清掃具などを用いなくともイオン発生ユニットの電極から付着物が除去可能な冷蔵庫を提供することを目的とする。
【課題を解決するための手段】
【０００７】
この発明のある態様に従うと、冷蔵室用の扉と、糸状の複数の導電体が一端側において束ねられて構成されたイオン発生用放電電極からイオンを放出して冷蔵庫内に供給するイオン発生ユニットと、扉の開動作に応じてイオン発生ユニットをＯＮして、扉の閉動作に応じてイオン発生ユニットをＯＦＦするための制御部と、を備える冷蔵庫が提供される。
【発明の効果】
【０００８】
このように、本発明によれば、放電電極清掃具などを用いなくともイオン発生ユニットの電極から付着物が除去可能な冷蔵庫が提供される。
【図面の簡単な説明】
【０００９】
【図１】第１の実施の形態にかかる冷蔵庫１００の全体的な正面図である。
【図２】第１の実施の形態にかかる冷蔵庫１００の側面断面図である。
【図３】第１の実施の形態にかかるイオン発生ユニット１１０の内部構造を示す断面図である。
【図４】第１の実施の形態にかかるイオン発生ユニット１１０の回路図である。
【図５】第１の実施の形態にかかる冷蔵庫１００の構成の一部を示すブロック図である。
【図６】第１の実施の形態にかかる冷蔵庫１００の制御部１９０の処理を示すフローチャートである。
【図７】第２の実施の形態にかかる第１の状態におけるイオン発生ユニット１１０周辺の構成を示すイメージ図である。
【図８】第２の実施の形態にかかる第２の状態におけるイオン発生ユニット１１０周辺の構成を示すイメージ図である。
【図９】第２の実施の形態にかかる第３の状態におけるイオン発生ユニット１１０周辺の構成を示すイメージ図である。
【図１０】第３の実施の形態にかかる第１の状態におけるイオン発生ユニット１１０周辺の構成を示すイメージ図である。
【図１１】第３の実施の形態にかかる第２の状態におけるイオン発生ユニット１１０周辺の構成を示すイメージ図である。
【図１２】第３の実施の形態にかかる第３の状態におけるイオン発生ユニット１１０周辺の構成を示すイメージ図である。
【図１３】第４の実施の形態にかかる第１の状態におけるイオン発生ユニット１１０周辺の構成を示すイメージ図である。
【図１４】第４の実施の形態にかかる第２の状態におけるイオン発生ユニット１１０周辺の構成を示すイメージ図である。
【図１５】第５の実施の形態にかかる第１の状態におけるイオン発生ユニット１１０周辺の構成を示すイメージ図である。
【図１６】第５の実施の形態にかかる第２の状態におけるイオン発生ユニット１１０周辺の構成を示すイメージ図である。
【図１７】第５の実施の形態にかかる第３の状態におけるイオン発生ユニット１１０周辺の構成を示すイメージ図である。
【図１８】第６の実施の形態にかかる冷蔵庫１００の構成のブロック図である。
【図１９】第６の実施の形態にかかる冷蔵庫１００の制御部１９０の処理を示すフローチャートである。
【図２０】第７の実施の形態にかかるイオン発生ユニット１１０周辺の構成を示すイメージ図である。
【発明を実施するための形態】
【００１０】
以下、図面を参照しつつ、本発明の各実施形態について説明する。以下の説明では、同一の部品には同一の符号を付してある。それらの名称および機能も同じである。したがって、それらについての詳細な説明は繰り返さない。
［第１の実施の形態］
【００１１】
本実施の形態にかかるイオン発生ユニット１１０は、たとえば、図１に示すような冷蔵庫１００に搭載される。冷蔵庫１００は、たとえば、本体１０１と扉１０２Ｌ，１０２Ｒなどから構成される。そして、本体１０１の内部は、メイン冷蔵スペース１０３、冷凍スペース１０５、果物ケース１０６、野菜ケース１０７、貯氷スペース１０８などを含む。本実施の形態においては、メイン冷蔵スペース１０３内にチルドスペース１０４が設けられる。チルドスペース１０４は、前端に扉となる前壁を有して前方に引き出し可能に配される下ケース１０４Ａと、冷蔵スペース１０３内に固定されて下ケース１０４Ａが収納状態で下ケース１０４Ａとともにチルドスペース１０４内を密閉状態にする上ケース１０４Ｂで構成される。
【００１２】
図２に示すように、当該チルドスペース１０４には、当該チルドスペース１０４用のイオン発生ユニット１１０が取り付けられている。より詳細には、チルドスペース１０４の後方には、図２に示すように冷気ダクト１３１が設けられ、冷気ダクト１３１に流通する冷気の一部が、吐出口１３３から下ケース１０４Ａや上ケース１０４Ｂの外壁に沿って流通し、チルドスペース１０４内を間接的に冷却する。そして、イオン発生ユニット１１０は、チルドスペース１０４内にイオンを放出できるように、チルドスペース１０４の上ケース１０４Ｂと連通する空間内に配置される。このため、チルドスペース１０４内の飲食物に冷気の風が直接当たることを防止しつつ、チルドスペース１０４内にイオンを供給することができる。
【００１３】
なお、イオン発生ユニット１１０は、チルドスペース１０４内に限らず、果物スペース１０６や野菜スペース１０７や冷凍スペース１０５や冷気ダクト１３１内に配置されてもよい。
【００１４】
ここで、本実施の形態にかかるイオン発生ユニット１１０の構造について説明する。図３は、本実施の形態にかかるイオン発生ユニット１１０の内部構造を示す図である。イオン発生ユニット１１０は、２本の放電電極１，２と、環状の誘導電極３，４と、２枚の長方形状のプリント基板５，６とを備えている。誘導電極３は、放電電極１との間に電界を形成するための電極である。誘導電極４は、放電電極２との間に電界を形成するための電極である。放電電極１は、誘導電極３との間で、負イオンを発生するための電極である。放電電極２は、誘導電極４との間で、正イオンを発生するための電極である。 
【００１５】
プリント基板５，６は、所定の間隔を開けて平行に配置されている。誘導電極３は、プリント基板５の長手方向の一方端部の表面に、プリント基板５の配線層を用いて形成されている。誘導電極３の内側には、プリント基板５を貫通する孔５ａが開口されている。誘導電極４は、プリント基板５の長手方向の他方端部の表面に、プリント基板５の配線層を用いて形成されている。誘導電極４の内側には、プリント基板５を貫通する孔５ｂが開口されている。
【００１６】
放電電極１，２の各々は、プリント基板５，６に対して垂直に設けられている。放電電極１の基端部はプリント基板６の孔に挿嵌されており、他端はプリント基板５の孔５ａの中心を貫通している。放電電極２の基端部はプリント基板６の孔に挿嵌されており、他端はプリント基板５の孔５ｂの中心を貫通している。放電電極１，２の各々の基端部は、半田によってプリント基板６に固定されている。
【００１７】
誘導電極３，４は、プリント基板５に形成されており、放電電極１，２は、プリント基板５とは別の、プリント基板６に固定されている。そのため、イオン発生装置が高湿度環境下におかれた場合でも、放電電極１，２と誘導電極３，４との間の電流のリークを抑制でき、イオンを安定して発生することが可能である。
【００１８】
放電電極１，２の各々の先端部は、ブラシ状に形成されている。放電電極１は、その先端部に設けられた複数の糸状の導電体７と、複数の導電体７の根元を束ねる接合部７ａとを有している。放電電極２は、その先端部に設けられた複数の糸状の導電体８と、複数の導電体８の根元を束ねる接合部８ａとを有している。
【００１９】
図４は、本実施の形態にかかるイオン発生ユニット１１０の回路図である。図４を参照して、イオン発生ユニット１１０は、放電電極１，２および誘導電極３，４の他に、電源端子Ｔ１、接地端子Ｔ２、ダイオード３２，３３および昇圧トランス３１を有している。電源端子Ｔ１および接地端子Ｔ２には、それぞれ直流電源の正極および負極が接続されている。電源端子Ｔ１には直流電源電圧（たとえば＋１２Ｖまたは＋１５Ｖ）が印加され、接地端子Ｔ２は接地されている。電源端子Ｔ１および接地端子Ｔ２は、電源回路３０を介して、昇圧トランス３１に接続されている。 
【００２０】
昇圧トランス３１は、１次巻線３１ａおよび２次巻線３１ｂを含んでいる。２次巻線３１ｂの一方端子は誘導電極３，４に接続されており、他方端子はダイオード３２のカソードおよびダイオード３３のアノードに接続されている。ダイオード３２のアノードは放電電極１の基端部に接続されており、ダイオード３３のカソードは放電電極２の基端部に接続されている。
【００２１】
図３および図４を参照して、イオン発生ユニット１１０の動作について説明する。電源端子Ｔ１および接地端子Ｔ２間に直流電源電圧が印加されると、電源回路３０が有しているコンデンサ（不図示）に電荷が充電される。コンデンサに充電された電荷は、昇圧トランス３１の１次巻線３１ａを介して放電され、１次巻線３１ａにはインパルス電圧が発生する。
【００２２】
１次巻線３１ａにインパルス電圧が発生すると、２次巻線３１ｂに正および負の高電圧パルスが交互に減衰しながら発生する。負の高電圧パルスはダイオード３２を介して放電電極１に印加され、正の高電圧パルスはダイオード３３を介して放電電極２に印加される。これにより、放電電極１，２の先端の導電体７，８でコロナ放電が発生し、それぞれ負イオンおよび正イオンを発生する。
【００２３】
なお、正イオンは、水素イオン（Ｈ<＋>）の周囲に複数の水分子がクラスター化したクラスターイオンであり、Ｈ<＋>（Ｈ２Ｏ）ｍ（ｍは０以上の任意の整数）と表わされる。負イオンは、酸素イオン（Ｏ２<−>）の周囲に複数の水分子がクラスター化したクラスターイオンであり、Ｏ２<−>（Ｈ２Ｏ）ｎ（ｎは０以上の任意の整数）と表わされる。また、正イオンおよび負イオンを室内に放出すると、両イオンが空気中を浮遊する菌やウィルスの周りを取り囲み、その表面上で互いに化学反応を起こす。その際に生成される活性種の水酸化ラジカル（・ＯＨ）の作用により、浮遊菌などが除去される。
【００２４】
なお、本実施の形態においては、ブラシ状の放電電極１の先端部を構成する複数の糸状の導電体７は、誘導電極３との間に電界が形成されると、互いの電気的な反発および誘導電極３への電気的な引寄せによって外側に曲げ変形するように構成されており、導電体７の先端が存在している領域の面積が大きくなるとともに隣接する糸状の導電体７間の干渉が抑えられる。つまり、針状の放電電極と比較して、同じ電圧を印加したときのイオン発生量が増える。ブラシ状の放電電極２についても同様に誘導電極４との間のイオン発生量が増える。
【００２５】
図５は、本実施の形態にかかる冷蔵庫１００の構成の一部を示すブロック図である。図５を参照して、本実施の形態にかかる冷蔵庫１００は、チルドスペース１０４の扉の開閉を検知するための扉センサ１０４Ｚを搭載する。そして、冷蔵庫１００は、扉センサ１０４Ｚからの検知結果やその他の条件に基づいて、イオン発生ユニット１１０のＯＮ／ＯＦＦを制御するための制御部１９０を搭載する。
【００２６】
制御部１９０は、たとえば、ＣＰＵ（Central Processing Unit）やＲＡＭ（Random access memory）やＲＯＭ（Read Only Memory）などから構成される。制御部１９０は、イオン発生ユニット１１０やファン１１９に限らず、図示しない圧縮機やダンパーなどの各部を制御する。
【００２７】
以下では、本実施の形態にかかる冷蔵庫１００の制御方法について説明する。図６を参照して、制御部１９０は、扉センサ１０４Ｚからの信号に基づいて、扉１０２Ｌ，１０２Ｒのいずれかが開いたことを検知すると（ステップＳ１０２にてＹＥＳの場合）、イオン発生ユニット１１０をＯＮする（ステップＳ１０４）。
【００２８】
制御部１９０は、扉センサ１０４Ｚからの信号に基づいて、扉１０２Ｌ，１０２Ｒのいずれかが閉じたことを検知すると（ステップＳ１０８にてＹＥＳの場合）、扉１０２Ｌ，１０２Ｒが閉まってからの経過時間を計測し始める。制御部１９０は、扉１０２Ｌ，１０２Ｒが閉まってから所定の時間が経過すると（ステップＳ１１０にてＹＥＳの場合）、イオン発生ユニット１１０をＯＦＦする（ステップＳ１１２）。
【００２９】
このように、本実施の形態においては、少なくとも扉１０２Ｌ，１０２Ｒが閉められる際にイオン発生ユニット１１０がＯＮされているので、ブラシ状の放電電極１，２の先端部を構成する複数の糸状の導電体７，８が互いの電気的な反発および誘導電極３，４への電気的な引寄せによって外側に曲げ変形している。従って、糸状の導電体７，８のそれぞれにおいて、先端同士の間隔が広がっている状態で、扉１０２Ｌ，１０２Ｒが閉められる際の衝撃がイオン発生ユニット１１０に伝わるため、衝撃を受けた糸状の導電体７，８のそれぞれがより自在に振動・変形できる。このため、糸状の導電体７，８の先端同士の間隔が狭まっている状態と比べて、導電体７および８に付着したゴミがふるい落とされやすくなる。
【００３０】
また、少なくとも扉１０２Ｌ，１０２Ｒが閉められる際にイオン発生ユニット１１０向けのファン１１９がＯＮされているので、少なくとも扉１０２Ｌ，１０２Ｒが閉められる際の衝撃に合わせてファン１１９の風によって導電体７，８に付着したゴミが除去されやすくなっている。
【００３１】
なお、チルドスペース１０４の扉が閉まる際の衝撃を利用して導電体７，８に付着したゴミをふるい落とす形態に限らず、制御部１９０は、メイン冷蔵スペース１０３や果物スペース１０６や野菜スペース１０７などの扉やケースが開けられた際にイオン発生ユニット１１０をＯＮして、チルドケースや野菜ケースなどの扉やケースが閉じられてからＯＦＦするものであってもよい。
［第２の実施の形態］
【００３２】
第１の実施の形態においては、衝撃が生じる可能性が高いタイミングに合わせて制御部１９０がイオン発生ユニット１１０をＯＮしておくものであった。しかしながら、単に扉やケースの開閉によってイオン発生ユニット１１０に衝撃が伝わる構成にしてもよい。
【００３３】
たとえば、図７に示すように、イオン発生ユニット１１０が冷蔵庫１００の構造体に直接的または間接的に支持部材１１７を介して保持される。そしてイオン発生ユニット１１０の底部に下方に向けて凸部１１８が形成され、チルドケース１０４や野菜ケース１０７や果物ケース１０６の一部に凹部１０４Ｘが形成される。これによって、チルドケース１０４や野菜ケース１０７や果物ケース１０６が開閉される際に、イオン発生ユニット１１０の凸部１１８がチルドケース１０４や野菜ケース１０７や果物ケース１０６の凹部１０４Ｘに出入りすることでイオン発生ユニット１１０に衝撃が伝わる。
【００３４】
換言すれば、図８に示すようにイオン発生ユニット１１０の凸部１１８がチルドケース１０４や野菜ケース１０７や果物ケース１０６の凹部１０４Ｘに落ち込んだり、イオン発生ユニット１１０の凸部１１８が凹部１０４Ｘの前後の壁面に衝突してその反動で図９に示すようにイオン発生ユニット１１０が上方へ飛び上がったりすることによって、導電体７および８に付着したゴミをふるい落とす。
［第３の実施の形態］
【００３５】
チルドケース１０４や野菜ケース１０７や果物ケース１０６に凹部１０４Ｘが形成される形態には限られない。たとえば、図１０に示すように、チルドケース１０４や野菜ケース１０７や果物ケース１０６の上部に凸部１０４Ｙが形成されてもよい。これによって、チルドケース１０４や野菜ケース１０７や果物ケース１０６が開閉される際に、イオン発生ユニット１１０の凸部１１８がチルドケース１０４や野菜ケース１０７や果物ケース１０６の凸部１０４Ｙの前後の壁面に衝突してイオン発生ユニット１１０に衝撃が伝わる。
【００３６】
また、図１１に示すように、イオン発生ユニット１１０の後部の底面に凸部１１８が形成されて、当該凸部１１８の後面がチルドケース１０４や野菜ケース１０７や果物ケース１０６の凸部１０４Ｙの前面に衝突した場合には、イオン発生ユニット１１０の前部の底面がいずれかの部材に衝突してイオン発生ユニット１１０に衝撃が伝わる構成であってもよい。
【００３７】
同様に、図１２に示すように、イオン発生ユニット１１０の後部の底面に凸部１１８が形成されて、当該凸部１１８の前面がチルドケース１０４や野菜ケース１０７や果物ケース１０６の凸部１０４Ｙの後面に衝突した場合には、イオン発生ユニット１１０の前部の底面がいずれかの部材に衝突してイオン発生ユニット１１０に衝撃が伝わる構成であってもよい。
［第４の実施の形態］
【００３８】
また、図１３に示すように、イオン発生ユニット１１０の後部の上面に凸部１１８Ｂが形成されて、チルドケース１０４や野菜ケース１０７や果物ケース１０６に下方へ向けた凸部１０４Ｙが形成されてもよい。そして、当該凸部１１８Ｂの後面が凸部１０４Ｙの前面に衝突した場合に、イオン発生ユニット１１０の前部の上面がいずれかの部材に衝突してイオン発生ユニット１１０に衝撃が伝わる構成であってもよい。
【００３９】
同様に、図１４に示すように、イオン発生ユニット１１０の後部の上面に凸部１１８Ｂの前面が、チルドケース１０４や野菜ケース１０７や果物ケース１０６に下方へ向けた凸部１０４Ｙの前面に衝突した場合に、イオン発生ユニット１１０の前部の上面がいずれかの部材に衝突してイオン発生ユニット１１０に衝撃が伝わる構成であってもよい。
【００４０】
このように、本実施の形態においては、少なくとも扉やケースなどが閉められる際にイオン発生ユニット１１０に衝撃が与えられる構成となっているため、イオン発生ユニット１１０に付着したゴミがふるい落とされやすくなっている。なお、凸部１０４Ｙは第３の実施形態と同様の凹部１０４Ｘであってもよい。
［第５の実施の形態］
【００４１】
なお、図１５に示すように、単に、イオン発生ユニット１１０が支持部材１１７によって不安定に支持される構成であってもよい。この場合も、図１６および図１７に示すように、扉やケースが開閉される際の振動や慣性力によって、イオン発生ユニット１１０が振動したり、他の部材に衝突したりするように構成されることが好ましい。これによって、イオン発生ユニット１１０に付着したゴミがふるい落とされやすい構成を実現してもよい。
【００４２】
なお、イオン発生ユニット１１０が支持部材１１７によって非振動時には図１６のように後傾状態としていてもよい。この場合には、発生したイオンが斜め上方に向かって放出されるため、より遠方までイオンを供給することができる。また、狭いスペースにイオンを集中させたい場合や、下方に収納スペースがある場などは、非振動時に図１７のように前傾状態としても良い。
［第６の実施の形態］
【００４３】
あるいは、図１８に示すように、冷蔵庫１００やイオン発生ユニット１１０が、イオン発生ユニット１１０に振動を与えるための振動素子１１１やモータなどを有してもよい。
【００４４】
そして上記の実施の形態と組み合わせて、図１９に示すように、扉１０２Ｌ，１０２Ｒが開いた際に、制御部１９０が、振動素子１１１やモータをＯＮしてもよい（ステップＳ１０７）。そして、扉１０２Ｌ，１０２Ｒが閉じて所定時間が経過してから、制御部１９０が、振動素子１１１やモータをＯＦＦしてもよい（ステップＳ１１６）。
【００４５】
なお、制御部１９０が、定期的に、振動素子１１１やモータをＯＮしてイオン発生ユニット１１０に振動を与える構成を採用してもよい。また、制御部１９０が、定期的に、ファン１１９をＯＮしてイオン発生ユニット１１０に振動を与える構成を採用してもよい。
【００４６】
なお、振動要素としてのファン１１９と振動素子１１１とは共に備えても良いし、いずれか一方であってもよい。
［第７の実施の形態］
【００４７】
また、上記の実施の形態に合わせて、図２０（Ｂ）に示すように、イオン発生ユニット１１０に連結される配線１１０１をたわませておくことが好ましい。図２０（Ａ）に示すようなイオン発生ユニット１１０に連結される配線１１０１が張った状態では、イオン発生ユニット１１０の振動が制限されるおそれがあるため、イオン発生ユニット１１０に連結される配線１１０１をたわませておくことで、イオン発生ユニット１１０の振動を阻害せず、その結果イオン発生ユニット１１０に付着したゴミがふるい落とされやすくなる。
＜まとめ＞
【００４８】
上記の実施形態では、冷蔵室１０３用の扉１０２Ｌ，１０２Ｒ（１０４Ａ，１０５，１０６，１０７）と、糸状の複数の導電体が一端側において束ねられて構成されたイオン発生用放電電極からイオンを放出して冷蔵庫内に供給するイオン発生ユニット１１０と、扉１０２Ｌ，１０２Ｒの開動作に応じてイオン発生ユニット１１０をＯＮして、扉１０２Ｌ，１０２Ｒの閉動作に応じてイオン発生ユニット１１０をＯＦＦするための制御部１９０と、を備える冷蔵庫１００が提供される。
【００４９】
好ましくは、イオン発生ユニット１１０の振動を大きくするための構成をさらに備える。
【００５０】
上記の実施形態では、冷蔵室１０３用の扉１０２Ｌ，１０２Ｒ（１０４Ａ，１０５，１０６，１０７）と、糸状の複数の導電体が一端側において束ねられて構成されたイオン発生用放電電極からイオンを放出して冷蔵庫内に供給するイオン発生ユニット１１０と、扉１０２Ｌ，１０２Ｒが閉じられるときのイオン発生ユニット１１０の振動を大きくするための構成と、を備える冷蔵庫１００が提供される。
【００５１】
上記の実施形態では、冷蔵室１０３用の扉１０２Ｌ，１０２Ｒ（１０４Ａ，１０５，１０６，１０７）と、糸状の複数の導電体が一端側において束ねられて構成されたイオン発生用放電電極からイオンを放出して冷蔵庫内に供給するイオン発生ユニット１１０と、イオン発生ユニット１１０に対する振動を与える装置１１１と、を備える冷蔵庫１００が提供される。
【００５２】
好ましくは、イオン発生ユニット１１０をＯＮした際に、イオン発生ユニット１１０に向けて風を送るためのファン１１９をさらに備える。
【００５３】
上記の実施形態では、冷蔵室１０３用の扉１０２Ｌ，１０２Ｒ（１０４Ａ，１０５，１０６，１０７）と、糸状の複数の導電体が一端側において束ねられて構成されたイオン発生用放電電極からイオンを放出して冷蔵庫内に供給するイオン発生ユニット１１０と、イオン発生ユニット１１０に向けた風を送るためのファン１１９と、イオン発生ユニット１１０をＯＮした際にファンをＯＮするための制御部１９０と、を備える冷蔵庫１００が提供される。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００５５】
１        ：放電電極
２        ：放電電極
３        ：誘導電極
４        ：誘導電極
５        ：プリント基板
５ａ      ：孔
５ｂ      ：孔
６        ：プリント基板
７        ：導電体
７ａ      ：接合部
８        ：導電体
８ａ      ：接合部
３０      ：電源回路
３１      ：昇圧トランス
３１ａ    ：１次巻線
３１ｂ    ：２次巻線
３２      ：ダイオード
３３      ：ダイオード
１００    ：冷蔵庫
１０１    ：本体
１０２Ｌ  ：扉
１０２Ｒ  ：扉
１０３    ：メイン冷蔵スペース
１０４    ：チルドケース
１０４Ａ  ：下ケース
１０４Ｂ  ：上ケース
１０４Ｘ  ：凹部
１０４Ｙ  ：凸部
１０４Ｚ  ：扉センサ
１０５    ：冷凍スペース
１０６    ：果物ケース
１０７    ：野菜ケース
１０８    ：貯氷スペース
１１０    ：イオン発生ユニット
１１１    ：振動素子
１１７    ：支持部材
１１８    ：凸部
１１８Ｂ  ：凸部
１１９    ：ファン
１３１    ：冷気ダクト
１３３    ：吐出口
１９０    ：制御部
１１０１  ：配線
【図１】
2019128126.tif 000003
【図２】
2019128126.tif 000004
【図３】
2019128126.tif 000005
【図４】
2019128126.tif 000006
【図５】
2019128126.tif 000007
【図６】
2019128126.tif 000008
【図７】
2019128126.tif 000009
【図８】
2019128126.tif 000010
【図９】
2019128126.tif 000011
【図１０】
2019128126.tif 000012
【図１１】
2019128126.tif 000013
【図１２】
2019128126.tif 000014
【図１３】
2019128126.tif 000015
【図１４】
2019128126.tif 000016
【図１５】
2019128126.tif 000017
【図１６】
2019128126.tif 000018
【図１７】
2019128126.tif 000019
【図１８】
2019128126.tif 000020
【図１９】
2019128126.tif 000021
【図２０】
2019128126.tif 000022